(57)【要約】【課題】ガス圧の計測に信頼性を向上させ、またメンテナンスを容易にする。【解決手段】液体を貯めた密閉の第１容器２を設け、第１容器２における貯留液面最高高さを設定して維持すべく、一端部の開口からオーバーフローにより液体を排出可能にするオーバーフロー管１１を設けると共に、第１容器２に液体を供給する液補給路７を設け、液体を貯めた第２容器１２の貯留液内にオーバーフロー管１１の他端部を配置し、ガス管３から分岐したガス導管４を、第１容器２におけるオーバーフロー管１１の一端部より上方に連通接続し、第１容器２における貯留液５内に一端側が連通すると共に、他端側が大気中に開放した連通部６を設け、連通部６における他端側に液面の位置を検出する液面高さ検出装置１３を設け、液面高さ検出装置１３による検出液面高さと第１容器２における貯留液５の液面高さとの差をガス導管３の検出ガス圧として計測可能にしてある。【選択図】図１
2012026964.tif 000002
【特許請求の範囲】
【請求項１】
液体を貯めた密閉の第１容器を設け、
その第１容器における貯留液面最高高さを設定して維持すべく、一端部の開口からオーバーフローにより液体を排出可能にするオーバーフロー管を設けると共に、
前記第１容器に液体を供給する液補給路を設け、
液体を貯めた第２容器の貯留液内に前記オーバーフロー管の他端部を配置し、
ガス導管を、前記第１容器における前記オーバーフロー管の一端部より上方に連通接続し、
前記第１容器における貯留液内に一端側が連通すると共に、他端側が大気中に開放した連通部を設け、
前記連通部における他端側に液面の位置を検出する液面高さ検出装置を設け、その液面高さ検出装置による検出液面高さと前記第１容器における貯留液の液面高さとの差を前記ガス導管の検出ガス圧として計測可能なガス圧計測装置。
【請求項２】
前記第２容器に、その貯留液の液面最高高さを設定するオーバーフロー部を設けてある請求項１に記載のガス圧計測装置。
【請求項３】
前記液補給路に対し、供給される液量を検出する流量計を設けてある請求項１または２に記載のガス圧計測装置。
【発明の詳細な説明】
【技術分野】
【０００１】
本発明は、ガス管やガス容器等のガス圧計測装置に関する。
【背景技術】
【０００２】
従来、ガス圧計測装置としては、ブルドン管ゲージやダイヤフラムゲージ等の機械式圧力計の他、一端部をガス導管の分岐管に接続すると共に、他端部を大気中に開放させたＵ字管で形成された液柱マノメーター（図４）があった（周知慣用技術である）。
【発明の概要】
【発明が解決しようとする課題】
【０００３】
上述した従来のガス圧計測装置として、前記機械式圧力計は、経時的に劣化する虞があり信頼性に不安がある。
また、図４に示す液柱マノメーターは、単純な構造で経時的な信頼性は高いが、Ｕ字管内の両端部の液面の高さを夫々計測して、それらの測定値の差を算出する必要があり、その両端部の液面は、夫々ガス圧により変動するために、計測に手間がかかると言う問題があり、しかも、Ｕ字管の他端側は、大気に連通するものの、一端側は、ガス導管に連通接続するために、夫々、水面の高さを自動的に計測する装置を、メンテナンスの容易な状態で組み込むことは困難であるという問題もあった。
【０００４】
従って、本発明の目的は、上記問題点を解消し、ガス圧の計測に信頼性があり、しかも、メンテナンスの容易なガス圧計測装置を提供するところにある。
【課題を解決するための手段】
【０００５】
本発明の第１の特徴構成は、液体を貯めた密閉の第１容器を設け、その第１容器における貯留液面最高高さを設定して維持すべく、一端部の開口からオーバーフローにより液体を排出可能にするオーバーフロー管を設けると共に、前記第１容器に液体を供給する液補給路を設け、液体を貯めた第２容器の貯留液内に前記オーバーフロー管の他端部を配置し、ガス導管を、前記第１容器における前記オーバーフロー管の一端部より上方に連通接続し、前記第１容器における貯留液内に一端側が連通すると共に、他端側が大気中に開放した連通部を設け、前記連通部における他端側に液面の位置を検出する液面高さ検出装置を設け、その液面高さ検出装置による検出液面高さと前記第１容器における貯留液の液面高さとの差を前記ガス導管の検出ガス圧として計測可能にしてあるところにある。
【０００６】
本発明の第１の特徴構成によれば、一端部の開口からオーバーフローにより液体を排出可能なオーバーフロー管を設けて、その他端部は第２容器の貯留液内に配置して、しかも、ガス導管が、密閉の第１容器におけるオーバーフロー管の一端部より上方に連通接続してあるために、前記オーバーフロー管の一端部より上方の空間は気密状態が維持されてガス導管と同圧になる。
前記第１容器における貯留液内に一端側が連通し、他端側が大気中に開放した連通部では、ガス導管のガス圧に応じて液面の高さが上下変動し、その液面の高さが液面高さ検出装置により計測される。
第１容器内の液面は、液補給路による液の補給とオーバーフロー管によって、液面最高高さが設定して維持され、そのために、常に第１容器内の液面は、ガス圧が変動しても一定に維持される。
従って、前記液面高さ検出装置による検出液面高さと第１容器における貯留液の液面高さとの差をガス導管の検出ガス圧として計測することで、全体として簡単な装置で、液面高さ検出装置による検出のみで簡単にガス導管のガス圧の計測ができる。
その上、前記連通部の他端側は大気中に開放されているために、液面高さ検出装置の設置についても、その連通部の他端側に装着するだけで簡単に液面位置が検出でき、メンテナンスも簡単にできる。
その結果信頼性が高く、メンテナンスも容易なガス圧計測装置を提供することができる。また、バイオガス生成槽やガスタンク等のガス容器において、ガス圧が過度に低下すると、ガス容器が破損する虞があるが、本発明のガス圧計測装置を接続すれば、一定圧以下となった場合に、連通部の他端側から空気が吸入され、ガス容器の破損を防ぐことができる。
【０００７】
本発明の第２の特徴構成は前記第２容器に、その貯留液の液面最高高さを保持するオーバーフロー部を設けてあるところにある。
【０００８】
本発明の第２の特徴構成によれば、第２容器の貯留液内に配置したオーバーフロー管の他端部から前記オーバーフロー部までの高さを、前記空間に連通接続してあるガス導管の最高の設定ガス圧と同圧の液圧を受ける高さに設定しておけば、オーバーフロー管の他端部から第２容器の貯留液内に、設定ガス圧を超えるガスが排出され、ガス導管内の圧を一定以内に保持できる。
そして、第２容器の貯留液の液面最高高さが、オーバーフロー部により保持されるために、オーバーフロー管の他端部のうける液圧は一定で、そのために前記設定ガス圧は、常に一定に維持される。
従って、ガス導管内の最高ガス圧は正確に維持できると共に、前記分岐管に連通する第１容器内の空間のガス圧も、高い精度で連通部内の液面高さに反映し、もって、高精度なガス圧計測が可能となる。
【０００９】
本発明の第３の特徴構成は、前記液補給路に対し、供給される液量を検出する流量計を設けてあることにある。
【００１０】
本発明の第３の特徴構成によれば、前記流量計により液補給路から供給される液の管理ができ、第１容器内の液面を、常にオーバーフロー管によりオーバーフローする最高高さに維持できる。
従って、ガス圧計測を高精度に維持できる。
【図面の簡単な説明】
【００１１】
【図１】実施形態で説明する概略縦断面図
【図２】別実施形態の概略縦断面図
【図３】別実施形態の概略縦断面図
【図４】従来例のマノメータの概略縦断面図
【発明を実施するための形態】
【００１２】
以下に本発明の実施の形態を図面に基づいて説明する。尚、図面において従来例と同一の符号で表示した部分は、同一又は相当の部分を示している。
【００１３】
本発明は、図１に示すように、液体として水を貯めた密閉の第１容器２を設け、その第１容器２における貯留液面最高高さを設定して維持すべく、一端部の開口からオーバーフローにより液体を排出可能にするオーバーフロー管１１を設けると共に、第１容器２に液体を供給する液補給路７を設け、液体を貯めた第２容器１２の貯留液５内にオーバーフロー管１１の他端部１０を配置し、一端をガス供給源に接続すると共に、他端をガス供給先に接続するガス管３から分岐したガス導管４を、第１容器２におけるオーバーフロー管１１の一端部より上方の空間１に連通接続し、第１容器２における貯留液５内に一端側が連通すると共に、他端側が大気中に開放した連通管６を設け、連通管６における他端側に液面の位置を検出する液面高さ検出装置１３を設け、その液面高さ検出装置１３による検出液面高さと第１容器２における貯留液５の液面高さとの差をガス管３の検出ガス圧として計測可能なガス圧計測装置を構成してある。
【００１４】
前記第２容器１２に、その貯留液の液面最高高さを保持するオーバーフロー部１４を設け、オーバーフロー管１１を介して空間１内のガスが外部に排出されるガス管３の最高設定圧に対応した水圧が、オーバーフロー管１１の他端部１０に作用するように、オーバーフロー部１４の高さとオーバーフロー管１１の他端部１０の位置との差を、設定してある。
【００１５】
前記給水管８には、流量計１５を取り付け、第２容器１２へ供給される液の流量管理ができるように構成してある。
【００１６】
尚、第１容器２及び第２容器１２に貯留する液体としては、主に水を使用し、寒冷地や低温時には、エチレングリコールやプロピレングリコール等の多価アルコールから成る不凍液を混入しても良く、また、ガス管３内のガス圧が高圧の場合には、水銀等の比重の大きい液体を使用しても良い。
【００１７】
〔別実施形態〕
以下に他の実施の形態を説明する。
【００１８】
〈１〉  前記液補給路７として、給水管８以外に、第１容器２の貯留液５の液面下に液が供給される構造であれば、第１容器２の本体内の流路に液補給路７が形成される構造であっても良い。
〈２〉  前記第２容器１２のオーバーフロー部１４は、図１のように容器の底面から排出するように構成しても、図２、図３に示すように容器の側面から排水するように構成してあってもよい。また、図２に示すように、そのオーバーフロー部１４から排出される液を、液補給路７にポンプ１６を介して返流する循環路を形成してあっても良い。
〈３〉  前記液面高さ検出装置１３による検出液面高さが所定の上限高さよりも高い場合や、所定の下限高さより低い場合には、警報を発するようにしても良い。
【００１９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００２０】
本発明のガス圧計測装置は、都市ガスやバイオガス等の燃料ガスのガス導管のガス圧の計測に使用する以外に、他の化学プラント等のガス導管のガス圧計測に使用することもできる。
また、バイオガスの生成槽や各種ガスの貯留タンクに直接接続して、ガス圧計測に使用することもできる。
【符号の説明】
【００２１】
１      空間
２      第１容器
３      ガス管
４      ガス導管
５      貯留液
６      連通部
７      液補給路
９      一端部
１０    他端部
１１    オーバーフロー管
１２    第２容器
１３    液面高さ検出装置
１４    オーバーフロー部
１５    流量計
【図１】
2012026964.tif 000003
【図２】
2012026964.tif 000004
【図３】
2012026964.tif 000005
【図４】
2012026964.tif 000006